(57)【特許請求の範囲】
【請求項１】
基地局と移動局との間で信号を中継するための無線中継装置であって、
前記基地局と自装置との間で通信を行うためのサブフレームであるバックホールサブフレームを用いて、基地局に向けて信号及びＳＲＳを送信する送信部と、
前記移動局と自装置との間で通信を行うためのサブフレームであるアクセスリンクサブフレームを用いて、前記バックホールサブフレームの送信終了タイミングより前にシフトされた前記アクセスリンクサブフレームの受信開始タイミングで、自装置に向けて送信された信号及びＳＲＳを受信する受信部と、
自装置から前記基地局への送信を行う送信モードと、前記移動局からの受信を行う受信モードとを切り替える切替部と、
前記移動局が自装置に向けて送信するＳＲＳの配置を設定するＳＲＳ設定部と、を備え、
前記送信部が、前記バックホールサブフレームの１つ前のサブフレームで前記ＳＲＳを送信する場合、前記ＳＲＳ設定部は、前記アクセスリンクサブフレームの最終シンボルを、前記移動局が自装置に向けて送信するＳＲＳを配置しない空きシンボルとして設定し、
前記受信部が、前記空きシンボルより一つ前のシンボルで、前記移動局から前記自装置に向けて送信された信号を受信した後、前記切替部は、前記受信モードから前記送信モードに切り替え、
前記送信部が、前記バックホールサブフレームの１つ前のサブフレームで前記ＳＲＳを送信しない場合、前記受信部が、前記アクセスリンクサブフレームの最終シンボルで、前記移動局から前記自装置に向けて送信された信号を受信した後、前記切替部は、前記受信モードから前記送信モードに切り替える、
ことを特徴とする無線中継装置。
【請求項２】
基地局と移動局との間で信号を中継するための無線中継装置であって、
前記基地局と自装置との間で通信を行うためのサブフレームであるバックホールサブフレームを用いて、基地局に向けて信号及びＳＲＳを送信する送信部と、
前記移動局と自装置との間で通信を行うためのサブフレームであるアクセスリンクサブフレームを用いて、前記バックホールサブフレームの送信終了タイミングより後にシフトされた前記アクセスリンクサブフレームの受信開始タイミングで、自装置に向けて送信された信号及びＳＲＳを受信する受信部と、
自装置から前記基地局への送信を行う送信モードと、前記移動局からの受信を行う受信モードとを切り替える切替部と、
前記移動局が自装置に向けて送信するＳＲＳの配置を設定するＳＲＳ設定部と、を備え、
前記送信部が、前記バックホールサブフレームの先頭シンボルで前記信号を送信する場合、前記ＳＲＳ設定部は、前記アクセスリンクサブフレームの最終シンボルを、前記移動局が自装置に向けて送信するＳＲＳを配置しない空きシンボルとして設定し、
前記受信部が、前記空きシンボルより一つ前のシンボルで、前記移動局から前記自装置に向けて送信された信号を受信した後、前記切替部は、前記受信モードから前記送信モードに切り替え、
前記送信部が、前記アクセスリンクサブフレームの先頭シンボルで前記信号を送信しない場合、前記受信部が、前記アクセスリンクサブフレームの最終シンボルで、前記移動局から前記自装置に向けて送信された信号を受信した後、前記切替部は、前記受信モードから前記送信モードに切り替える、
ことを特徴とする無線中継装置。
【請求項３】
基地局と移動局との間で信号を中継するための無線中継装置であって、
前記基地局と自装置との間で通信を行うためのサブフレームであるバックホールサブフレームを用いて、基地局に向けて信号及びＳＲＳを送信する送信部と、
前記移動局と自装置との間で通信を行うためのサブフレームであるアクセスリンクサブフレームを用いて、前記バックホールサブフレームの送信終了タイミングより後にシフトされた前記アクセスリンクサブフレームの受信開始タイミングで、自装置に向けて送信された信号及びＳＲＳを受信する受信部と、
自装置から前記基地局への送信を行う送信モードと、前記移動局からの受信を行う受信モードとを切り替える切替部と、
前記移動局が自装置に向けて送信するＳＲＳの配置を設定するＳＲＳ設定部と、を備え、
前記送信部が、前記バックホールサブフレームの最終シンボルで前記信号を送信する場合、前記送信部が、前記バックホールサブフレームの最終シンボルで前記信号を送信した後、前記切替部は、前記送信モードから前記受信モードに切り替え、
前記送信部が、前記バックホールサブフレームの最終シンボルで前記信号を送信しない場合、前記ＳＲＳ設定部は、前記バックホールサブフレームの最終シンボルを、自装置が前記基地局に向けて送信するＳＲＳを配置しない空きシンボルとして設定し、
前記送信部が、前記最終シンボルより一つ前のシンボルで前記信号を送信した後、前記切替部は、前記送信モードから前記受信モードに切り替え、
前記受信部は、前記切替部が前記送信モードから前記受信モードに切り替えた後、前記バックホールサブフレームと同一のサブフレーム番号の前記アクセスリンクサブフレームの最終シンボルで、前記移動局から前記自装置に向けて送信された信号を受信する、
ことを特徴とする無線中継装置。
【請求項４】
前記ＳＲＳ設定部は、
前記基地局又は自装置がＳＲＳを受信する可能性があるサブフレームとして、セルごとにセル固有のＳＲＳの配置を決定し、
前記決定されたセル固有のＳＲＳの配置に含まれるサブフレームの中から、移動局固有のＳＲＳの配置を決定することで、前記空きシンボルを設定する、請求項１又は請求項２に記載の無線中継装置。
【請求項５】
基地局と移動局との間で信号を中継するための無線中継方法であって、
バックホールサブフレームの送信終了タイミングより前にシフトされたアクセスリンクサブフレームの受信開始タイミングで、中継局に向けて送信された信号及びＳＲＳを受信し、
前記バックホールサブフレームの１つ前のサブフレームでＳＲＳが送信される場合、
前記アクセスリンクサブフレームの最終シンボルを、前記移動局が前記中継局に向けて送信するＳＲＳを配置しない空きシンボルとして設定し、
前記空きシンボルより一つ前のシンボルで、前記移動局から前記中継局に向けて送信された信号を受信した後、前記中継局から前記基地局への送信に切り替え、かつ、
前記バックホールサブフレームの１つ前のサブフレームで前記ＳＲＳが送信されない場合、
前記アクセスリンクサブフレームの最終シンボルで、前記移動局が前記中継局に向けて送信する信号を受信した後、前記中継局から前記基地局への送信に切り替える、
ことを特徴とする無線中継方法。
【請求項６】
基地局と移動局との間で信号を中継するための無線中継方法であって、
バックホールサブフレームの送信終了タイミングより後にシフトされたアクセスリンクサブフレームの受信開始タイミングで、中継局に向けて送信された信号及びＳＲＳを受信し、
前記バックホールサブフレームの先頭シンボルで信号が送信される場合、
前記アクセスリンクサブフレームの最終シンボルを、前記移動局が前記中継局に向けて送信するＳＲＳを配置しない空きシンボルとして設定し、前記空きシンボルより一つ前のシンボルで、前記移動局から前記中継局に向けて送信した信号を受信した後、前記中継局から前記基地局への送信に切り替え、かつ、
前記バックホールサブフレームの先頭シンボルで前記信号が送信されない場合、
前記アクセスリンクサブフレームの最終シンボルで、前記移動局から前記中継局に向けて送信された信号を受信した後、前記中継局から前記基地局への送信に切り替える、
ことを特徴とする無線中継方法。
【請求項７】
基地局と移動局との間で信号を中継するための無線中継方法であって、
バックホールサブフレームの送信終了タイミングより後にシフトされたアクセスリンクサブフレームの受信開始タイミングで、中継局に向けて送信された信号及びＳＲＳを受信し、
前記バックホールサブフレームの最終シンボルで信号が送信される場合、
前記バックホールサブフレームの最終シンボルで前記信号が送信された後、前記移動局から前記中継局への受信に切り替え、かつ、
前記バックホールサブフレームの最終シンボルで前記信号が送信されない場合、
前記バックホールサブフレームの最終シンボルを、前記中継局が前記基地局に向けて送信するＳＲＳを配置しない空きシンボルとして設定し、前記最終シンボルより一つ前のシンボルで前記信号を送信した後、前記移動局から前記中継局への受信に切り替え、前記バックホールサブフレームと同一のサブフレーム番号の前記アクセスリンクサブフレームの最終シンボルで、前記移動局から前記中継局に向けて送信された信号を受信する、
ことを特徴とする無線中継方法。
【発明の詳細な説明】
【技術分野】
【０００１】
本発明は、無線中継装置及び無線中継方法に関する。
【背景技術】
【０００２】
近年、セルラ移動体通信システムにおいては、情報のマルチメディア化に伴い、音声データのみならず、静止画像データ、動画像データ等の大容量データを伝送することが一般化しつつある。大容量データの伝送を実現するために、高周波の無線帯域を利用して高伝送レートを実現する技術に関して盛んに検討がなされている。【０００３】
しかし、高周波の無線帯域を利用した場合、近距離では高伝送レートを期待できる一方、遠距離になるにしたがい伝送距離による減衰が大きくなる。よって、高周波の無線帯域を利用した移動体通信システムを実際に運用する場合は、無線通信基地局装置（以下、基地局と省略する）のカバーエリアが小さくなり、このため、より多くの基地局を設置する必要が生じる。基地局の設置には相応のコストがかかるため、基地局数の増加を抑制しつつ、高周波の無線帯域を利用した通信サービスを実現するための技術が強く要求されている。【０００４】
このような要求に対し、各基地局のカバーエリアを拡大させるために、図１１の無線中継システムに示すように、基地局１０と無線通信移動局装置２０（以下、移動局と省略する）との間に無線通信中継局装置３０（以下、中継局と省略する）を設置し、基地局１０と移動局２０との間の通信を中継局３０を介して行う中継送信技術が検討されている。中継技術を用いると、基地局１０と直接通信できない端末と基地局１０とが、中継局３０を介して通信することができる。なお、移動局４０は、基地局１０に接続する移動局である。【０００５】
［ＴＤ  ｒｅｌａｙの説明］
次に、図１２、図１３を参照してＴＤ  ｒｅｌａｙについて説明する。図１２は上り回線でのＴＤ  ｒｅｌａｙ説明するための概念図、図１３は下り回線でのＴＤ  ｒｅｌａｙを説明するための概念図を示す。【０００６】
図１２に示す上り回線においては、サブフレーム＃２（Ｓｕｂｆｒａｍｅ  ＃２）では、アクセスリンク（Ａｃｃｅｓｓ  ｌｉｎｋ）で移動局２０が中継局３０への送信を行い、サブフレーム＃３（Ｓｕｂｆｒａｍｅ  ＃３）では、バックホールリンク（Ｂａｃｋｈａｕｌ  ｌｉｎｋ）で中継局３０が基地局１０への通信を行う。そして、サブフレーム＃４では、再び、移動局２０が中継局３０への送信を行う。同様に、図１３に示す下り回線においては、サブフレーム＃２（Ｓｕｂｆｒａｍｅ  ＃２）では、アクセスリンク（Ａｃｃｅｓｓ  ｌｉｎｋ）で中継局３０が移動局２０の送信を行い、サブフレーム＃３（Ｓｕｂｆｒａｍｅ  ＃３）では、バックホールリンク（Ｂａｃｋｈａｕｌ  ｌｉｎｋ）で基地局１０が中継局３０への通信を行う。そして、サブフレーム＃４では、再び、中継局３０が移動局２０の送信を行う。【０００７】
上述のように、ＴＤ  ｒｅｌａｙでは、基地局１０から中継局３０への送信と、中継局３０から移動局２０への送信を時間で分割する。このように、バックホールリンクでの通信とアクセスリンクでの通信とを時間軸で分割することで、中継局３０が送信する時間と受信する時間とを分割することができる。したがって、中継局３０は、送信アンテナと受信アンテナとの間の回りこみの影響を受けずに、信号を中継することができる。【０００８】
［ガードタイムの説明］
ただし、中継局３０において、送信から受信又は、受信から送信に切換えるためには、ＲＦ（Ｒａｄｉｏ  Ｆｒｅｑｕｅｎｃｙ）回路の切換えのため、ガードピリオドを設ける必要がある。図１４は、ガードピリオドを説明するための図である。中継局３０では、図１４に示すように、サブフレームにおいて、送信から受信又は、受信から送信の切り替えの際、それぞれのガードピリオドを設けている。ガードピリオドは、機器の性能にもよるが、およそ２０［μｓ］と想定される。【０００９】
［切換えタイミング］
ＴＤ  ｒｅｌａｙでは、ガードピリオドが必要となるので、送信又は受信できないサブフレームが発生する。３ＧＰＰ  ＲＡＮ１＃５９ｂ会合では、ガードピリオドを設けるため、バックホールサブフレームの先頭ＯＦＤＭシンボルを犠牲にする方法（以下、Ｃａｓｅ  Ａと呼ぶ）、バックホールサブフレームの最終ＯＦＤＭシンボルを犠牲にする方法（以下、Ｃａｓｅ  Ｂと呼ぶ）、アクセスリンクの最終ＯＦＤＭシンボルを犠牲にする方法（以下、Ｃａｓｅ  Ｃと呼ぶ）などが検討されている（非特許文献１参照）。【００１０】
次に、図１５〜図１７を参照し、上述したＣａｓｅ  Ａ、Ｃａｓｅ  Ｂ、Ｃａｓｅ  Ｃについて説明する。図１５は、ガードピリオドを設ける例［１］を説明するための図（Ｃａｓｅ  Ａに相当）、図１６は、ガードピリオドを設ける例［２］を説明するための図（Ｃａｓｅ  Ｂに相当）、図１７は、ガードピリオドを設ける例［３］を説明するための図（Ｃａｓｅ  Ｃに相当）である。図中、横軸は時間（Ｔｉｍｅ）［μｓ］を示す。【００１１】
また、図１５〜図１７中、サブフレームＡ（バックホールサブフレーム）が中継局３０から基地局１０への通信を示し、サブフレームＢ、Ｃ（アクセスリンクサブフレーム）が移動局２０から中継局３０への通信を示す。各サブフレームＡ、Ｂ、Ｃは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル＃０〜＃１３を含む。ＳＣ−ＦＤＭＡシンボルの各シンボル長は、およそ７１．４［ｍｓ］である。【００１２】
また、図１５〜図１７中、Δｓｈｉｆｔ  Ｂ又はΔｓｈｉｆｔ  Ｆで示す矢印で挟まれた期間がガードピリオドである。また、図中のＳｗｉｔｃｈｉｎｇ  ｐｅｒｉｏｄは、中継局３０が送信から受信又は、受信から送信の切り替えをするのに要する時間である。【００１３】
また、図１５〜図１７中、ｒＵＥ  ｔｒａｎｓｍｉｓｓｉｏｎは、移動局２０の中継局３０への送信タイミングを、ＲＮ  ｒｅｃｅｐｔｉｏｎは、中継局３０の移動局２０からの受信タイミングを、ＲＮ  ｔｒａｎｓｍｉｓｓｉｏｎは、中継局３０の基地局１０への送信タイミングを、ｅＮＢ  ｒｅｃｅｐｔｉｏｎは、基地局１０の中継局３０からの受信タイミングを示す。【００１４】
また、図１５〜図１７中、ＳＣ−ＦＤＭＡシンボル＃０〜＃１３（図中、＃を省略し、数字のみを表記）を示すブロックが傾いているのはシンボルの伝搬遅延を示す。例えば、図１５中、時刻Ｔ１で移動局２０から中継局３０へ送信されたシンボルは、時刻Ｔ２に中継局３０で受信される。他の図１６、図１７も同様に、ブロックの傾きがシンボルの伝搬遅延を示す。【００１５】
ここで、中継局３０では、自局での移動局２０からの受信タイミング（又は自局に接続する移動局２０の自局への送信タイミング）を制御することができる。なお、基地局１０での中継局３０からの受信タイミング（又は中継局３０の基地局１０への送信タイミング）は、基地局１０で設定されている。【００１６】
図１５に示すガードピリオドを設ける例［１］（Ｃａｓｅ  Ａ）では、中継局３０は、ＳＣ−ＦＤＭＡシンボル＃１〜＃１３（Ｎｏｒｍａｌ  ＣＰ長の場合）を基地局１０へ送信する。中継局３０は、ＳＣ−ＦＤＭＡシンボル＃１３を送信できる。ＳＣ−ＦＤＭＡシンボル＃１３はＳＲＳ（Ｓｏｕｎｄｉｎｇ  Ｒｅｆｅｒｅｎｃｅ  Ｓｉｇｎａｌ）送信シンボル（Ｒｅｌ．８  ＬＴＥ仕様にて規定されている）である。つまり、中継局３０がＳＲＳを送信することができる。【００１７】
［ＳＲＳの説明］
ＳＲＳは、広い帯域の回線品質を測定するための信号である。移動局が基地局にＳＲＳを送信することで、基地局は、ＳＲＳが送信されたＲＢの回線品質を測定し、移動局へリソースを割り当てるために参考にする。ＳＲＳはＳＣ−ＦＤＭＡシンボル＃１３に配置される。移動局はＳＲＳを送信する場合、ＰＵＣＣＨ（Ｐｈｙｓｉｃａｌ  Ｕｐｌｉｎｋ  Ｃｏｎｔｒｏｌ  ＣＨａｎｎｅｌ）及びＰＵＳＣＨ（Ｐｈｙｓｉｃａｌ  Ｕｐｌｉｎｋ  Ｓｈａｒｅｄ  ＣＨａｎｎｅｌ）をＳＣ−ＦＤＭＡシンボル＃０〜＃１２で送信し、ＳＣ−ＦＤＭＡシンボル＃１３でＳＲＳを送信する。【００１８】
図１６に示すガードピリオドを設ける例［２］（Ｃａｓｅ  Ｂ）では、中継局３０は、ＳＣ−ＦＤＭＡシンボル＃０〜＃１２（Ｎｏｒｍａｌ  ＣＰ長の場合）を基地局１０へ送信する。図１６に示す例では、Ｒｅｌ．８  ＬＴＥのＰＵＣＣＨ及びＰＤＳＣＨフォーマットをバックホール（Ｂａｃｋｈａｕｌ）回線にそのまま適用することが可能である。また、Ｒ−ＰＵＣＣＨ（Ｒｅｌａｙ用ＰＵＣＣＨ）およびＲ−ＰＵＳＣＨ（Ｒｅｌａｙ用ＰＵＳＣＨ）は、ＳＣ−ＦＤＭＡ１３がＳＲＳに使用される場合、ＳＣ−ＦＤＭＡ０〜１２を使用する。【００１９】
図１７に示すガードピリオドを設ける例［３］（Ｃａｓｅ  Ｃ）では、中継局３０は、ＳＣ−ＦＤＭＡシンボル＃０〜＃１３（Ｎｏｒｍａｌ  ＣＰ長の場合）を基地局１０へ送信する。中継局は全てのＳＣ−ＦＤＭＡシンボルを送信できるかわりに、中継局３０が、自局に接続する移動局２０から受信できるシンボルが、ＳＣ−ＦＤＭＡシンボル＃０〜＃１２（Ｎｏｒｍａｌ  ＣＰの場合）となる。
【先行技術文献】
【非特許文献】
【００２０】
【非特許文献１】３ＧＰＰ  ＲＡＮ１  ５９ｂｉｓ  「Ｒ１−１００８０７  ＷＦ  ｏｎ  ｔｉｍｉｎｇ  ｏｆ  ｂａｃｋｈａｕｌ  ａｎｄ  ａｃｃｅｓｓ  ｌｉｎｋ  ｉｎ  ｕｐｌｉｎｋ」
【発明の概要】
【発明が解決しようとする課題】
【００２１】
ここで、図１５に示すガードピリオドを設ける例［１］を実現するためには、中継局３０において、アクセスリンクのＵＬ受信タイミングを、バックホールのＵＬ送信タイミングより後方に、Δｓｈｉｆｔ  Ｂ分シフトすれば良い。しかし、図１５に示すガードピリオドを設ける例［１］（ＣａｓｅＡ）では、ＳＣ−ＦＤＭＡシンボル＃０を送信しない、新たなＰＵＣＣＨフォーマットとＰＵＳＣＨフォーマットとが必要となる。特に、ＡＣＫ／ＮＡＣＫ，  ＣＱＩ  等を含むＰＵＣＣＨでは、ＳＣ−ＦＤＭＡシンボル＃０を単純にパンクチャして送信すると、ＰＵＣＣＨを多重するために用いる符号の直交性が崩れる。そのため、直交性が崩れない新しいフォーマットが必要になるという課題がある。【００２２】
また、図１６に示すガードピリオドを設ける例［２］を実現するためには、中継局３０において、アクセスリンクのＵＬ受信タイミングをバックホール（Ｂａｃｋｈａｕｌ）のＵＬ送信タイミングより前方に、Δｓｈｉｆｔ  Ｆ分シフトすれば良い。しかし、図１６に示すガードピリオドを設ける例［２］（Ｃａｓｅ  Ｂ）では、中継局はＳＣ−ＦＤＭＡシンボル＃１３でＳＲＳを送信できないので、中継局と基地局との間の回線品質を、幅広い帯域で測定することが困難である。【００２３】
また、図１７に示すガードピリオドを設ける例［３］を実現するためには、中継局３０において、図１５に示す例と同様にアクセスリンクのＵＬ受信タイミングをバックホール（Ｂａｃｋｈａｕｌ）のＵＬ送信タイミングより後方に、Δｓｈｉｆｔ  Ｂ分シフトする。しかし、図１７に示すガードピリオドを設ける例［３］（Ｃａｓｅ  Ｃ）では、バックホールサブフレームの１つ前のサブフレームで、常にアクセスリンクにおいてセル固有のＳＲＳが設定され、かつ中継局に接続している移動局にＳＲＳを割り当てないという動作になる。そのため、中継局に接続している移動局は、ＳＣ−ＦＤＭＡ１３を使用して、ＰＵＳＣＨ、ＰＵＣＣＨおよびＳＲＳを送信することができない。【００２４】
また、図１７に示すガードピリオドを設ける例［３］（Ｃａｓｅ  Ｃ）では、ＳＲＳを送信するサブフレームでは、セルごとにセル固有のＳＲＳの配置が決まっており、中継局は、その中から移動局固有のＳＲＳの配置として、送信間隔と送信サブフレームとを指定することができる。【００２５】
しかしながら、ＬＴＥでは、指定できるパターンがあらかじめ定められている。そのため、バックホールサブフレームの１つ前のサブフレームで、中継局に接続する移動局がＳＲＳを送信してしまう可能性が考えられる。このとき、移動局はＳＲＳを送信しているが、中継局は移動局のＳＲＳを無視して、送信に切り替える。【００２６】
本発明の目的は、リソースの利用効率を向上させることができる無線中継装置又は無線中継方法を提供することである。
【課題を解決するための手段】
【００２７】
本発明は、基地局と移動局との間で信号を中継するための無線中継装置であって、前記基地局と自装置との間で通信を行うためのサブフレームであるバックホールサブフレームを用いて、基地局に向けて信号及びＳＲＳを送信する送信部と、前記移動局と自装置との間で通信を行うためのサブフレームであるアクセスリンクサブフレームを用いて、前記バックホールサブフレームの送信終了タイミングより前にシフトされた前記アクセスリンクサブフレームの受信開始タイミングで、自装置に向けて送信された信号及びＳＲＳを受信する受信部と、自装置から前記基地局への送信を行う送信モードと、前記移動局からの受信を行う受信モードとを切り替える切替部と、前記移動局が自装置に向けて送信するＳＲＳの配置を設定するＳＲＳ設定部と、を備え、前記送信部が、前記バックホールサブフレームの１つ前のサブフレームで前記ＳＲＳを送信する場合、前記ＳＲＳ設定部は、前記アクセスリンクサブフレームの最終シンボルを、前記移動局が自装置に向けて送信するＳＲＳを配置しない空きシンボルとして設定し、前記受信部が、前記空きシンボルより一つ前のシンボルで、前記移動局から前記自装置に向けて送信された信号を受信した後、前記切替部は、前記受信モードから前記送信モードに切り替え、前記送信部が、前記バックホールサブフレームの１つ前のサブフレームで前記ＳＲＳを送信しない場合、前記受信部が、前記アクセスリンクサブフレームの最終シンボルで、前記移動局から前記自装置に向けて送信された信号を受信した後、前記切替部は、前記受信モードから前記送信モードに切り替える、ことを特徴とする無線中継装置を提供する。【００２８】
また、本発明は、基地局と移動局との間で信号を中継するための無線中継装置であって、前記基地局と自装置との間で通信を行うためのサブフレームであるバックホールサブフレームを用いて、基地局に向けて信号及びＳＲＳを送信する送信部と、前記移動局と自装置との間で通信を行うためのサブフレームであるアクセスリンクサブフレームを用いて、前記バックホールサブフレームの送信終了タイミングより後にシフトされた前記アクセスリンクサブフレームの受信開始タイミングで、自装置に向けて送信された信号及びＳＲＳを受信する受信部と、自装置から前記基地局への送信を行う送信モードと、前記移動局からの受信を行う受信モードとを切り替える切替部と、前記移動局が自装置に向けて送信するＳＲＳの配置を設定するＳＲＳ設定部と、を備え、前記送信部が、前記バックホールサブフレームの先頭シンボルで前記信号を送信する場合、前記ＳＲＳ設定部は、前記アクセスリンクサブフレームの最終シンボルを、前記移動局が自装置に向けて送信するＳＲＳを配置しない空きシンボルとして設定し、前記受信部が、前記空きシンボルより一つ前のシンボルで、前記移動局から前記自装置に向けて送信された信号を受信した後、前記切替部は、前記受信モードから前記送信モードに切り替え、前記送信部が、前記アクセスリンクサブフレームの先頭シンボルで前記信号を送信しない場合、前記受信部が、前記アクセスリンクサブフレームの最終シンボルで、前記移動局から前記自装置に向けて送信された信号を受信した後、前記切替部は、前記受信モードから前記送信モードに切り替える、
ことを特徴とする無線中継装置を提供する。【００２９】
また、本発明は、基地局と移動局との間で信号を中継するための無線中継装置であって、前記基地局と自装置との間で通信を行うためのサブフレームであるバックホールサブフレームを用いて、基地局に向けて信号及びＳＲＳを送信する送信部と、前記移動局と自装置との間で通信を行うためのサブフレームであるアクセスリンクサブフレームを用いて、前記バックホールサブフレームの送信終了タイミングより後にシフトされた前記アクセスリンクサブフレームの受信開始タイミングで、自装置に向けて送信された信号及びＳＲＳを受信する受信部と、自装置から前記基地局への送信を行う送信モードと、前記移動局からの受信を行う受信モードとを切り替える切替部と、前記移動局が自装置に向けて送信するＳＲＳの配置を設定するＳＲＳ設定部と、を備え、前記送信部が、前記バックホールサブフレームの最終シンボルで前記信号を送信する場合、前記送信部が、前記バックホールサブフレームの最終シンボルで前記信号を送信した後、前記切替部は、前記送信モードから前記受信モードに切り替え、前記送信部が、前記バックホールサブフレームの最終シンボルで前記信号を送信しない場合、前記ＳＲＳ設定部は、前記バックホールサブフレームの最終シンボルを、自装置が前記基地局に向けて送信するＳＲＳを配置しない空きシンボルとして設定し、前記送信部が、前記最終シンボルより一つ前のシンボルで前記信号を送信した後、前記切替部は、前記送信モードから前記受信モードに切り替え、前記受信部は、前記切替部が前記送信モードから前記受信モードに切り替えた後、前記バックホールサブフレームと同一のサブフレーム番号の前記アクセスリンクサブフレームの最終シンボルで、前記移動局から前記自装置に向けて送信された信号を受信する、ことを特徴とする無線中継装置を提供する。【００３０】
上記無線中継装置では、前記ＳＲＳ設定部は、前記基地局又は自装置がＳＲＳを受信する可能性があるサブフレームとして、セルごとにセル固有のＳＲＳの配置を決定し、前記決定されたセル固有のＳＲＳの配置に含まれるサブフレームの中から、移動局固有のＳＲＳの配置を決定することで、前記空きシンボルを設定する。【００３１】
また、本発明は、基地局と移動局との間で信号を中継するための無線中継方法であって、バックホールサブフレームの送信終了タイミングより前にシフトされたアクセスリンクサブフレームの受信開始タイミングで、中継局に向けて送信された信号及びＳＲＳを受信し、前記バックホールサブフレームの１つ前のサブフレームでＳＲＳが送信される場合、前記アクセスリンクサブフレームの最終シンボルを、前記移動局が前記中継局に向けて送信するＳＲＳを配置しない空きシンボルとして設定し、前記空きシンボルより一つ前のシンボルで、前記移動局から前記中継局に向けて送信された信号を受信した後、前記中継局から前記基地局への送信に切り替え、かつ、前記バックホールサブフレームの１つ前のサブフレームで前記ＳＲＳが送信されない場合、前記アクセスリンクサブフレームの最終シンボルで、前記移動局が前記中継局に向けて送信する信号を受信した後、前記中継局から前記基地局への送信に切り替える、ことを特徴とする無線中継方法を提供する。【００３２】
また、本発明は、基地局と移動局との間で信号を中継するための無線中継方法であって、バックホールサブフレームの送信終了タイミングより後にシフトされたアクセスリンクサブフレームの受信開始タイミングで、中継局に向けて送信された信号及びＳＲＳを受信し、前記バックホールサブフレームの先頭シンボルで信号が送信される場合、前記アクセスリンクサブフレームの最終シンボルを、前記移動局が前記中継局に向けて送信するＳＲＳを配置しない空きシンボルとして設定し、前記空きシンボルより一つ前のシンボルで、前記移動局から前記中継局に向けて送信した信号を受信した後、前記中継局から前記基地局への送信に切り替え、かつ、前記バックホールサブフレームの先頭シンボルで前記信号が送信されない場合、前記アクセスリンクサブフレームの最終シンボルで、前記移動局から前記中継局に向けて送信された信号を受信した後、前記中継局から前記基地局への送信に切り替える、ことを特徴とする無線中継方法を提供する。【００３３】
また、本発明は、基地局と移動局との間で信号を中継するための無線中継方法であって、バックホールサブフレームの送信終了タイミングより後にシフトされたアクセスリンクサブフレームの受信開始タイミングで、中継局に向けて送信された信号及びＳＲＳを受信し、前記バックホールサブフレームの最終シンボルで信号が送信される場合、前記バックホールサブフレームの最終シンボルで前記信号が送信された後、前記移動局から前記中継局への受信に切り替え、かつ、前記バックホールサブフレームの最終シンボルで前記信号が送信されない場合、前記バックホールサブフレームの最終シンボルを、前記中継局が前記基地局に向けて送信するＳＲＳを配置しない空きシンボルとして設定し、前記最終シンボルより一つ前のシンボルで前記信号を送信した後、前記移動局から前記中継局への受信に切り替え、前記バックホールサブフレームと同一のサブフレーム番号の前記アクセスリンクサブフレームの最終シンボルで、前記移動局から前記中継局に向けて送信された信号を受信する、ことを特徴とする無線中継方法を提供する。
【発明の効果】
【００３４】
本発明に係る無線中継装置又は無線中継方法によれば、リソースの利用効率を向上させることができる。
【図面の簡単な説明】
【００３５】
【図１】実施の形態１における無線中継システムを示す図
【図２】中継局１００が送受信を切り替えるタイミングを説明するための図
【図３】中継局１００の送受信切替え動作を説明するための図
【図４】中継局１００の構成を示すブロック図
【図５】中継局４００が送受信を切り替えるタイミングを説明するための図
【図６】中継局４００の構成を示すブロック図
【図７】中継局４００Ａの構成を示すブロック図
【図８】中継局７００が送受信を切り替えるタイミングを説明するための図
【図９】中継局７００の送受信切替え動作を説明するための図
【図１０】中継局７００の構成を示すブロック図
【図１１】無線中継システムを示す図
【図１２】上り回線でのＴＤ  ｒｅｌａｙを説明するための概念図
【図１３】下り回線でのＴＤ  ｒｅｌａｙを説明するための概念図
【図１４】ガードピリオドを説明するための図
【図１５】ガードピリオドを設ける例［１］を説明するための図
【図１６】ガードピリオドを設ける例［２］を説明するための図
【図１７】ガードピリオドを設ける例［３］を説明するための図
【発明を実施するための形態】
【００３６】
以下、本発明の実施形態について、図面を参照して説明する。
【００３７】
（実施の形態１）
図１は、実施の形態１における無線中継システムを示す図である。図１に示す無線中継システムでは、図１１と同様、基地局２００と無線通信移動局装置３００（以下、移動局３００と省略する）との間に無線通信中継局装置１００（以下、中継局１００と省略する）を設置し、基地局２００と移動局３００との間の通信を中継局１００を介して行う。これにより、基地局２００と直接通信できない端末（たとえば、移動局３００）も、中継局１００を介して通信することができる。なお、移動局３１０は、基地局２００に接続する移動局である。
【００３８】
図１に示す無線中継システムでは、時間分割中継（ＴＤ  ｒｅｌａｙ）を行う。一例として、基地局２００から中継局１００と、中継局１００から移動局３００への２ホップの中継が考えられるが、本実施の形態では、２ホップ以上でも適用可能である。
【００３９】
［ＳＲＳの説明］
ＳＲＳは、広い帯域の回線品質を測定するための信号である。移動局が基地局にＳＲＳを送信することで、基地局は、ＳＲＳが送信されたリソースブロック（ＲＢ）の回線品質を測定し、移動局へリソースを割り当てる参考にする。ＳＲＳはＳＣ−ＦＤＭＡシンボル＃１３に配置される。移動局はＳＲＳを送信する場合、ＰＵＣＣＨ及びＰＵＳＣＨをＳＣ−ＦＤＭＡシンボル＃０〜＃１２で送信し、ＳＣ−ＦＤＭＡシンボル＃１３にＳＲＳを送信する。
【００４０】
ＳＲＳの設定は、セル固有のＳＲＳの配置（Ｃｅｌｌ  ｓｐｅｃｉｆｉｃ  ＳＲＳ  ｓｕｂｆｒａｍｅ  ｃｏｎｆｉｇｕｒａｔｉｏｎ）  とＵＥ固有の設定（ＵＥ  ｓｐｅｃｉｆｉｃ  ＳＲＳ  ｃｏｎｆｉｇｕｒａｔｉｏｎ）がある。
【００４１】
まず、基地局（中継局セルでは中継局）がＳＲＳを受信する可能性があるサブフレームとして、セルごとにセル固有のＳＲＳの配置が決定され、基地局から（中継局セルでは中継局から）移動局へ、セル固有のＳＲＳの配置が上位レイヤの制御信号で通知される。
【００４２】
次に、決定されたセル固有のＳＲＳの配置に含まれるサブフレームの中から、移動局固有のＳＲＳの配置（ＵＥ  ｓｐｅｃｉｆｉｃ  ＳＲＳ  ｃｏｎｆｉｇｕｒａｔｉｏｎ）が決定され、決定した移動局固有のＳＲＳの配置情報として、ＳＲＳの送信間隔情報および送信サブフレームオフセット情報が、基地局から（中継局セルでは中継局から）移動局に通知される。
【００４３】
移動局は、移動局固有のＳＲＳの配置に割り当てられたサブフレームにＳＲＳを送信するが、セルごとに割り当てられているＳＲＳ送信可能サブフレームにおいて、自局のＳＲＳ送信がなくても、ＰＵＣＣＨ及びＰＵＳＣＨをＳＣ−ＦＤＭＡシンボル＃０〜＃１２で送信し、ＳＣ−ＦＤＭＡシンボル＃１３では送信せずにＳＲＳへの干渉を避ける。
【００４４】
ここで、上述したように、図１６に示すガードピリオドを設ける例［２］（Ｃａｓｅ  Ｂ）では、中継局はＳＣ−ＦＤＭＡシンボル＃１３でＳＲＳを送信できない。そこで、バックホールサブフレーム（ＳＦＮ＃Ｎ）に割り当てられたサブフレームの１つ前のサブフレーム（ＳＦＮ＃Ｎ−１）にＳＲＳを送信することが考えられる。
【００４５】
つまり、ＳＦＮ＃Ｎに中継局が基地局にＳＲＳを送信するため、基地局のセルではＳＦＮ＃（Ｎ−１）を中継局のＳＲＳを送信するサブフレームに設定する。また、中継局のセルでは、中継局がＳＣ−ＦＤＭＡシンボル＃１３を受信できないので、中継局セルでも、バックホールサブフレームに割り当てられたサブフレームの１つ前のサブフレームを中継局セル固有のＳＲＳを設定する。ただし、中継局セル固有のＳＲＳには、移動局固有のＳＲＳを割り当てずに、ＳＣ−ＦＤＭＡシンボル＃１３が空きになるように設定する。
【００４６】
このように、全てのバックホールサブフレームの１つ前のサブフレームにおいて、基地局セル及び中継局セルの両者でセル固有のＳＲＳの配置を設定する必要がある。セル固有のＳＲＳの配置設定したサブフレームでは、ＳＣ−ＦＤＭＡシンボル＃１３を、ＰＵＣＣＨ及びＰＵＳＣＨの送信に使用することができない。特に、バックホールサブフレームに使用されるサブフレーム数が多い場合、ＳＣ−ＦＤＭＡシンボル＃１３をＰＵＣＣＨ及びＰＵＳＣＨに使用できない確率が増え、リソース利用効率が低下する。
【００４７】
そこで、実施の形態１に係る無線中継システムでは、中継局１００は、サブフレーム毎に、移動局３００から自局への受信から、自局から基地局２００への送信への切替タイミングを変更する。そして、中継局１００は、切り替える基準として、バックホールサブフレームの１つ前のサブフレームのＳＲＳ割当の有無で判断する。
【００４８】
次に、図２を参照し、中継局１００が送受信を切り替える基準について説明する。図２は、中継局１００が送受信を切り替えるタイミングを説明するための図である。
【００４９】
また、図２中、Δｓｈｉｆｔ  Ｆで示す矢印で挟まれた期間がガードピリオドである。また、図中のＳｗｉｔｃｈｉｎｇ  ｐｅｒｉｏｄは、中継局１００が送信から受信又は、受信から送信の切り替えをするのに要する時間である。
【００５０】
また、図２中、ｒＵＥ  ｔｒａｎｓｍｉｓｓｉｏｎは、中継局１００に接続する移動局３００の中継局１００への送信タイミングを、ＲＮ  ｒｅｃｅｐｔｉｏｎは、中継局１００の移動局３００からの受信タイミングを、ＲＮ  ｔｒａｎｓｍｉｓｓｉｏｎは、基地局２００への中継局１００の送信タイミングを、ｅＮＢ  ｒｅｃｅｐｔｉｏｎは、基地局２００での中継局１００からの受信タイミングを示す。
【００５１】
また、図２中、ＳＣ−ＦＤＭＡシンボル＃０〜＃１３（図中、＃を省略し、数字のみを表記）を示すブロックが傾いているのはシンボルの伝搬遅延を示す。
【００５２】
また、図２中、ＳＣ−ＦＤＭＡシンボル＃０〜＃１３（図中、＃を省略し、数字のみを表記）を示すブロックが傾いているのはシンボルの伝搬遅延を示す。例えば、図２中、時刻Ｔ４で移動局３００から中継局１００へ送信されたシンボルは、時刻Ｔ５に中継局１００で受信される。
【００５３】
まず、第１の送受信切替えタイミング（図２中、送受信切替タイミングＡ）として、基地局２００と自局との間で通信を行うためのバックホールサブフレームＡ１の、１つ前のサブフレームのＳＣ−ＦＤＭＡシンボル＃１３にＳＲＳ送信がある場合、中継局１００は、アクセスリンクサブフレームＢ１のＳＣ−ＦＤＭＡシンボル＃１２を移動局３００から受信した後、送信に切り替える。そのために、中継局１００において、移動局３００と自局との間で通信を行うためのアクセスリンクの、ＵＬ受信開始タイミングをバックホール（Ｂａｃｋｈａｕｌ）のＵＬ送信終了タイミングより前方に、Δｓｈｉｆｔ  Ｆ分シフトすれば良い。受信から送信へ切替後、中継局１００は、基地局２００にＳＲＳを送信する。
【００５４】
したがって、ＳＣ−ＦＤＭＡシンボル＃１３について、中継局セルではＳＲＳシンボルに設定するが、中継局１００に接続する移動局３００にはＳＲＳ送信を割り当てないことになる。つまり、アクセスリンクサブフレーム（図２中、アクセスリンクサブフレームＢ１）において、ＳＣ−ＦＤＭＡシンボル＃１３（図２中、網掛けのブロック）はＳＲＳを設定しない空きシンボル（Ｆａｋｅ  ＳＲＳ）となり、中継局１００に接続する全ての移動局がＳＣ−ＦＤＭＡシンボル＃１３を送信しない。
【００５５】
次に、第２の送受信切替えタイミング（図２中、送受信切替タイミングＢ）として、基地局２００と自局との間で通信を行うためのバックホールサブフレームＡ２の、１つ前のサブフレームのＳＣ−ＦＤＭＡシンボル＃１３にＳＲＳ送信がない場合、中継局１００は、アクセスリンクサブフレームＢ２のＳＣ−ＦＤＭＡシンボル＃１３を移動局３００から受信した後、送信に切り替える。そのために、中継局１００において、移動局３００と自局との間で通信を行うためのアクセスリンクの、ＵＬ受信開始タイミングをバックホール（Ｂａｃｋｈａｕｌ）のＵＬ送信終了タイミングより前方に、Δｓｈｉｆｔ  Ｆ分シフトすれば良い。受信から送信へ切替後、中継局１００は、ＳＣ−ＦＤＭＡシンボル＃０〜＃１２（Ｎｏｒｍａｌ  ＣＰ長の場合）を基地局２００へ送信する。
【００５６】
上述のように、本実施の形態に係る中継局１００は、送受信切替タイミングＡ、Ｂ（図２参照）を、サブフレーム毎に切替える。そのため、中継局１００がバックホールサブフレームにおいてＳＲＳを送信する必要があるサブフレームでのみ、アクセスリンクの最終ＳＣ−ＦＤＭＡシンボルを犠牲にしてＳＲＳを送信し、ＳＲＳの送信が不要であるサブフレームでは、アクセスリンクの最終ＳＣ−ＦＤＭＡシンボルをＰＵＣＣＨ、ＰＵＳＣＨ又は、ＳＲＳの受信に使用することができる。したがって、本実施の形態に係る中継局１００は、リソースの利用効率を向上させることができる。
【００５７】
また、本実施の形態に係る中継局１００は、送受信切替タイミングＡ及び送受信切替タイミングＢにおいて、ＳＣ−ＦＤＭＡシンボル＃０〜＃１２（ｎｏｒｍａｌ  ＣＰの場合）を使用して、ＰＵＣＣＨ及びＰＵＳＣＨを送信できる。したがって、バックホールサブフレーム用に新たにフォーマットを定義する必要がない。
【００５８】
また、中継局１００は、基地局２００からＳＲＳを送信するように指示されたサブフレームと同一のサブフレームを、中継局セルのＳＲＳに設定し、中継局配下の移動局３００がＳＣ−ＦＤＭＡシンボル＃１３を送信させないようにする。
【００５９】
［中継局１００の動作例］
次に、図３を参照して、中継局１００の送受信切替え動作について説明する。図３は、中継局１００の送受信切替え動作を説明するための図である。図中、横軸は時間［μｓ］を示す。
【００６０】
また、図３中、各フレーム０、１、２において、サブフレーム＃５、＃７（バックホールサブフレーム）が中継局１００から基地局２００への通信を示し、他のサブフレームは、移動局３００から中継局１００への通信を示す。各サブフレームでは、ＳＣ−ＦＤＭＡシンボル＃０〜＃１３を含む。ＳＣ−ＦＤＭＡシンボルの各シンボル長は、およそ７１．４［ｍｓ］である。
【００６１】
また、図３中、Δｓｈｉｆｔ  Ｆで示す矢印で挟まれた期間がガードピリオドである。ガードピリオド内で、中継局１００が送信から受信又は、受信から送信の切り替えをするのに要する時間が含まれる。
【００６２】
また、図３中、ｒＵＥ  ｔｒａｎｓｍｉｓｓｉｏｎは、中継局１００に接続する移動局３００の中継局１００への送信タイミングを、ＲＮ  ｒｅｃｅｐｔｉｏｎは、中継局１００での移動局３００からの受信タイミングを、ＲＮ  ｔｒａｎｓｍｉｓｓｉｏｎは、基地局２００への中継局１００の送信タイミングを、ｅＮＢ  ｒｅｃｅｐｔｉｏｎは、基地局２００での中継局１００からの受信タイミングを示す。
【００６３】
また、図３中、ＳＣ−ＦＤＭＡシンボル＃０〜＃１３（図中、＃を省略し、数字のみを表記）を示すブロックが傾いているのはシンボルの伝搬遅延を示す。
【００６４】
ここで、中継局１００では、ＲＮ  ｒｅｃｅｐｔｉｏｎで示す中継局１００の移動局３００からの受信タイミング（又は中継局１００に接続する移動局３００の中継局１００への送信タイミング）を制御することができる。なお、基地局２００での中継局１００からの受信タイミング（又は基地局２００への中継局１００の送信タイミング）は、基地局２００で設定されている。
【００６５】
また、基地局２００は、１０ｍｓｅｃ間隔で、中継局１００固有のＳＲＳを設定する。
【００６６】
ここで、「ＳＲＳを送信するサブフレーム」がサブフレーム＃６とすると、サブフレーム＃６の直後のサブフレーム＃７から見ると、直前のサブフレーム＃６でＳＲＳを送信することになる。なお、サブフレーム＃５から見ると、その直前のサブフレーム＃４は、ＳＲＳを送信するサブフレームでない。したがって、図３に示すように、中継局１００は、直前のサブフレーム＃４がＳＲＳを送信するサブフレームでないサブフレーム＃５では、図２に示す送受信切替タイミングＢを使用する。そして、中継局１００は、直前のサブフレーム＃６がＳＲＳを送信するサブフレームであるサブフレーム＃７では、送受信切替タイミングＡを使用する。
【００６７】
上述のように、本実施の形態に係る中継局１００は、送受信切替タイミングＡ、Ｂを、サブフレーム毎に切替える。そのため、中継局１００がバックホールサブフレームにおいてＳＲＳを送信する必要があるサブフレーム（図３中、サブフレーム＃７）でのみ、アクセスリンクの最終ＳＣ−ＦＤＭＡシンボルを犠牲にしてＳＲＳを送信し、ＳＲＳの送信が不要であるサブフレーム（図３中、サブフレーム＃５）では、アクセスリンクの最終ＳＣ−ＦＤＭＡシンボルをＰＵＣＣＨ、ＰＵＳＣＨ又は、ＳＲＳの受信に使用することができる。したがって、本実施の形態に係る中継局１００は、リソースの利用効率を向上させることができる。
【００６８】
次に、図４を参照して、中継局１００の構成について説明する。図４は中継局１００の構成を示すブロック図である。図４に示す中継局１００は、無線送信部１０１と、データ割り当て部１０３と、変調部１０５と、誤り訂正符号化部１０７と、ＳＲＳ信号生成部１０９と、ＳＲＳ  Ｃｏｎｆｉｇｕｒａｔｉｏｎ設定部１１１と、ＳＲＳ  Ｃｏｎｆｉｇｕｒａｔｉｏｎ受信部１１３と、タイミング切替部１１５と、誤り訂正復号部１１７と、復調部１１９と、無線受信部１２１と、送信アンテナ１２３と、受信アンテナ１２５と、を備える。なお、図４では、アップリンク（Ｕｐ  Ｌｉｎｋ  ＵＬ）信号を中継する場合について説明する。
【００６９】
無線受信部１２１は、基地局２００からの信号を、受信アンテナ１２５を介して受信し、ダウンコンバート等の無線処理を施し復調部１１９へ出力する。
【００７０】
復調部１１９は、無線受信部１２１から入力された信号を復調し、誤り訂正復号部１１７へ出力する。
【００７１】
誤り訂正復号部１１７は、復調部１１９から入力された信号を復号し、データを誤り訂正符号化部１０７又はＳＲＳ  Ｃｏｎｆｉｇｕｒａｔｉｏｎ受信部１１３へ出力する。復号されたデータのうち、基地局セル固有のＳＲＳ配置情報は、誤り訂正符号化部１０７及び変調部１０５の処理を経て、データ割り当て部１０３へ出力される。また、復号されたデータのうち、中継局固有のＳＲＳ配置情報は、ＳＲＳ  Ｃｏｎｆｉｇｕｒａｔｉｏｎ受信部１１３での処理を経て、データ割り当て部１０３、ＳＲＳ信号生成部１０９、ＳＲＳ  Ｃｏｎｆｉｇｕｒａｔｉｏｎ設定部１１１、タイミング切替部１１５へ出力される。
【００７２】
ここで、復号されたデータのうち、基地局２００から送信された制御信号である基地局セル固有のＳＲＳ配置情報と、中継局固有のＳＲＳ配置情報とにより、中継局１００は、ＳＣ−ＦＤＭＡシンボル＃１３を送信しないサブフレーム及び、基地局２００へ送信するＳＲＳのサブフレームとを認識する。
【００７３】
ＳＲＳ  Ｃｏｎｆｉｇｕｒａｔｉｏｎ設定部１１１は、中継局セル固有のＳＲＳ配置及び、中継局１００に接続する移動局固有のＳＲＳ配置を決定し、決定した情報を誤り訂正符号化部１０７、タイミング切替部１１５へ出力する。ＳＲＳ  Ｃｏｎｆｉｇｕｒａｔｉｏｎ設定部１１１は、中継局セル固有のＳＲＳ配置として、基地局２００から指定された中継局固有のＳＲＳ配置と同一のサブフレームが含まれるようにＳＲＳ配置を決定する。
【００７４】
誤り訂正符号化部１０７は、データ信号及び、中継局セル固有のＳＲＳ配置情報を誤り訂正符号化し、変調部１０５へ出力する。
【００７５】
変調部１０５は、誤り訂正符号化部１０７から出力された信号を変調し、データ割り当て部１０３へ出力する。
【００７６】
ＳＲＳ信号生成部１０９は、基地局２００から受信した中継局セル固有のＳＲＳ配置情報に基づき、中継局１００が基地局２００へ送信するＳＲＳ信号を生成し、データ割り当て部１０３へ出力する。
【００７７】
データ割り当て部１０３は、基地局２００から受信した中継局セル固有のＳＲＳ配置情報に従い、ＳＲＳを送信するサブフレームではＳＲＳ信号生成部１０９で生成されたＳＲＳ信号をリソースブロック（ＲＢ）に割り当て、無線送信部１０１へ出力する。さらに、データ割り当て部１０３は、基地局２００から受信した中継局セル固有のＳＲＳ配置情報に従い、データを送信するサブフレームでは変調部１０５で変調された信号のデータをリソースブロック（ＲＢ）に割り当て、無線送信部へ出力する。
【００７８】
ここで、本実施の形態では、中継局１００は、ＵＬバックホールサブフレームのＳＣ−ＦＤＭＡシンボル＃１３はガードピリオドに使用するので、基地局２００へ信号を送信しない。ただし、ＵＬバックホールサブフレームが連続する場合、アクセスリンクとの切替が発生しないサブフレームでは、中継局１００は、ＳＣ−ＦＤＭＡシンボル＃１３で信号を送信することができる。しかしながら、基地局セル固有のＳＲＳ配置情報により、基地局固有のＳＲＳが定められているが、中継局セル固有のＳＲＳが割り当てられていない場合、中継局１００は、ＳＣ−ＦＤＭＡシンボル＃１３で信号を送信しない。
【００７９】
タイミング切替部１１５は、基地局２００が設定した中継局セル固有のＳＲＳ配置及び、自局が決定した中継局セル固有のＳＲＳ配置より、受信から送信へ切換えるタイミングを変更する。
【００８０】
ここで、基地局２００からＳＲＳの送信指示があったサブフレームでは、タイミング切替部１１５は、移動局３００のＳＣ−ＦＤＭＡシンボル＃１２を受信後、送信に切り替える。そして、タイミング切替部１１５は、ＳＲＳを基地局２００へ送信するために、無線送信部１０１へ指示する。基地局２００からＳＲＳの送信指示がないサブフレームでは、タイミング切替部１１５は、移動局３００のＳＣ−ＦＤＭＡシンボル＃１３を受信後、送信に切り替える。なお、切り替えるタイミングを基地局２００の指示で変更しても良い。
【００８１】
無線送信部１０１は、変調後の信号に対してアップコンバート等の無線処理を施して、送信アンテナ１２３から基地局２００へ送信する。
【００８２】
（実施の形態２）
図５〜図７を参照して、実施の形態２に係る中継局４００について説明する。
【００８３】
実施の形態２においても、図１に示す無線中継システムにおいて中継局１００を中継局４００に置き換えた無線中継システムで、基地局２００と直接通信できない端末（たとえば、移動局３００）が、中継局４００を介して通信することができる。
【００８４】
実施の形態２の無線中継システムでは、実施の形態１と同様、時間分割中継（ＴＤ  ｒｅｌａｙ）を行う。一例として、基地局２００から中継局４００と、中継局４００から移動局３００への２ホップの中継が考えられるが、本実施の形態では、２ホップ以上でも適用可能である。
【００８５】
また、実施の形態２に係る無線中継システムでは、中継局４００は、実施の形態１と同様、サブフレーム毎に、移動局３００から自局への受信から、自局から基地局２００への送信への切替タイミングを変更する。そして、中継局１００は、実施の形態１と同様、切り替える基準として、バックホールサブフレームの１つ前のサブフレームのＳＲＳ割当の有無で判断する。
【００８６】
次に、図５を参照して、中継局４００が送受信を切り替える基準について説明する。図５は、中継局４００が送受信を切り替えるタイミングを説明するための図である。図中、横軸は時間［μｓ］を示す。
【００８７】
図５中、ｒＵＥ  ｔｒａｎｓｍｉｓｓｉｏｎは、中継局４００に接続する移動局３００の中継局４００への送信タイミングを、ＲＮ  ｒｅｃｅｐｔｉｏｎは、中継局４００での移動局３００からの受信タイミングを、ＲＮ  ｔｒａｎｓｍｉｓｓｉｏｎは、基地局２００への中継局４００の送信タイミングを、ｅＮＢ  ｒｅｃｅｐｔｉｏｎは、基地局２００での中継局４００からの受信タイミングを示す。
【００８８】
また、図５中、ＳＣ−ＦＤＭＡシンボル＃０〜＃１３（図中、＃を省略し、数字のみを表記）を示すブロックが傾いているのはシンボルの伝搬遅延を示す。例えば、図５中、時刻Ｔ５に移動局３００から中継局４００へ送信されたシンボルは、時刻Ｔ６に中継局４００で受信される。
【００８９】
ここで、中継局４００では、ＲＮ  ｒｅｃｅｐｔｉｏｎで示す自局の移動局３００からの受信タイミング（又は自局に接続する移動局３００の自局への送信タイミング）を制御することができる。なお、基地局２００での自局からの受信タイミング（又は基地局２００への自局の送信タイミング）は、基地局２００で設定されている。
【００９０】
まず、第３の送受信切替タイミング（図５中、送受信切替タイミングＣ）として、中継局４００が、バックホールサブフレームＡ３のＳＣ−ＦＤＭＡシンボル＃０〜＃１３を基地局２００に送信する場合（中継局４００がＰＵＣＣＨを送信したい場合を含む）に使用する。中継局４００は自局（中継局）のセルにＳＲＳを設定し、移動局３００と自局との間で通信を行うための、アクセスリンクサブフレームＢ３のＳＣ−ＦＤＭＡシンボル＃１２を、移動局３００から受信した後、基地局２００と自局との間で通信を行うためのバックホールの送信に切替る。そのために、中継局４００において、移動局３００と自局との間で通信を行うためのアクセスリンク（図中、アクセスリンクサブフレームＢ３、Ｃ３）の、ＵＬ受信開始タイミングを、基地局２００と自局との間で通信を行うためのバックホール（Ｂａｃｋｈａｕｌ）（図中、バックホールサブフレームＡ３）のＵＬ送信終了タイミングより後方へΔｓｈｉｆｔ  Ｂ分シフトすれば良い。第３の送受信切替タイミングに設定されているサブフレームでは、ＰＵＣＣＨ、ＰＵＳＣＨともに、移動局用に設計されたものをそのまま適用することができる。
【００９１】
なお、アクセスリンクのサブフレーム（図５中、アクセスリンクサブフレームＢ３）のＳＣ−ＦＤＭＡシンボル＃１３について、中継局セルではＳＲＳシンボルに設定するが、中継局４００に接続する移動局３００にはＳＲＳ送信を割り当てないことになる。つまり、アクセスリンクサブフレーム（図５中、アクセスリンクサブフレームＢ３）において、ＳＣ−ＦＤＭＡシンボル＃１３（図５中、網掛けのブロック）は、ＳＲＳを設定しない空きシンボル（Ｆａｋｅ  ＳＲＳ）となる。
【００９２】
次に、第４の送受信切替タイミング（図５中、送受信切替タイミングＤ）として、中継局４００が、自局に接続する移動局３００に対して、アクセスリンクサブフレーム（図５中、アクセスリンクサブフレームＢ４）のＳＣ−ＦＤＭＡシンボル＃１３を送信させたい場合（ＳＣ−ＦＤＭＡシンボル＃１３でＳＲＳ送信させたい場合を含む）に使用する。
【００９３】
中継局４００は、自局に接続する移動局３００からアクセスリンクサブフレームＢ４のＳＣ−ＦＤＭＡシンボル＃１３のデータシンボル又はＳＲＳを受信した後、バックホールの送信に切替る。このとき、中継局４００がＰＵＣＣＨを送信する場合、ＳＣ−ＦＤＭＡシンボル＃０を使用しないＰＵＣＣＨ用のフォーマットが必要となる。新たにフォーマットを定義してもよいし、フォーマットを定義せずに、第４の送受信切替タイミング（図５中、送受信切替タイミングＤ）を使用する場合には、必ずＰＵＣＣＨに送信する情報を、ＰＵＳＣＨに多重するというルールにしても良い。
【００９４】
実施の形態２に係る中継局４００は、第３及び第４の送受信切替タイミングの両タイミングを利用するため、第３の送受信切替タイミングと第４の送受信切替タイミングとをサブフレーム毎に切り替える。この二つの送受信切替タイミングを切り替えることで、中継局４００は、（１）第３の送受信切替タイミングのみを使用する場合に、常にＳＣ−ＦＤＭＡシンボル＃０を送信できないのが送信できるようになり、さらに、（２）第４の送受信切替タイミングのみを使用する場合に、バックホールサブフレームの設定と中継局配下の移動局のＳＲＳの設定の間隔があわずに、自局に接続している移動局がＳＲＳを送信しているにもかかわらず、自局が移動局のＳＲＳを無視して送信に切り替えるという動作を防ぐことができる。
【００９５】
次に、図６、図７を参照して、上述した第３及び第４の送受信切替タイミングの切り替えについて、その切替タイミングの設定方法（１）、（２）を説明する。
【００９６】
＜設定方法（１）＞
設定方法１では、中継局４００が、サブフレーム毎に、第３の送受信切替タイミング及び第４の送受信切替タイミングのいずれかの送受信切替タイミングを使用するかを決定し、その決定結果を基地局２００へ通知する。
【００９７】
中継局４００は、基地局２００から指示されたバックホールサブフレームの位置と、自局（中継局）配下の移動局の数と、自局（中継局）と移動局との間の回線品質の状態と、により、自局（中継局）配下の移動局に、ＳＲＳを送信させるサブフレームを決定する。そして、中継局４００は、自局（中継局）配下の移動局のＳＲＳ送信と、バックホールサブフレームの１つ前のサブフレームが衝突する場合、タイミングＤとし、それ以外をタイミングＣとするように、基地局２００へ通知する。なお、中継局４００は、上述したバックホールサブフレームの位置については、あらかじめ基地局２００から指示されている。
【００９８】
ここで、図６を参照して、設定方法（１）を設定するための中継局４００の構成について説明する。図６は、中継局４００の構成を示すブロック図である。なお、図６に示す中継局４００の構成が、図４に示す中継局１００の構成と異なる点は、タイミング切替指示生成部４０１、及びタイミング切替部４１５である。共通する構成については、その詳細な説明を省略する。
【００９９】
タイミング切替指示生成部４０１は、ＳＲＳ  Ｃｏｎｆｉｇｕｒａｔｉｏｎ設定部１１１で決定された、自局（中継局）固有のＳＲＳ配置情報と、自局（中継局）セル固有のＳＲＳ配置情報及び自局（中継局）に接続する移動局固有のＳＲＳ配置情報から、タイミング切替指示情報を生成する。そして、生成したタイミング切替指示情報を誤り訂正符号化部１０７及びタイミング切替部４１５へ出力する。
【０１００】
タイミング切替部４１５は、タイミング切替指示情報に基づき、上述した第３の送受信切替タイミング及び第４の送受信切替タイミングを切り替える。
【０１０１】
なお、中継局４００が基地局２００へＰＵＣＣＨを送信するサブフレームでは、第３の送受信切替タイミングを使用し、ＰＵＣＣＨを送信しないサブフレームでは第４の送受信切替タイミングを使用しても良い。
【０１０２】
＜設定方法（２）＞
ここで、図７を参照して、中継局４００の変形例として、設定方法（２）を設定するための中継局４００Ａの構成について説明する。設定方法（２）では、基地局２００が、サブフレーム毎に、第３の送受信切替タイミング及び第４の送受信切替タイミングのいずれの送受信切替タイミングを使用するかを、中継局４００Ａへ通知する。そして、中継局４００Ａは、第３の送受信切替タイミングとなるサブフレームと、自局（中継局）に接続する移動局のＳＲＳを送信するＳＲＳ送信サブフレームとが重ならないように、中継局セルの移動局３００のＳＲＳの送信サブフレーム、及びサブフレーム間の間隔を設定する。
【０１０３】
図７は、中継局４００Ａの構成を示すブロック図である。なお、図７に示す中継局４００Ａの構成が、図４に示す中継局１００の構成と異なる点は、タイミング切替指示受信部４０３、及びタイミング切替部４１５Ａである。共通する構成については、その詳細な説明を省略する。
【０１０４】
タイミング切替指示受信部４０３は、基地局２００から送信されたタイミング切替え情報を受信し、その情報をタイミング切替部４１５Ａへ出力する
【０１０５】
タイミング切替部４１５Ａは、基地局からの指示通りに、第３送受信切替タイミング及び第４の送受信切替タイミングを切り替える。
【０１０６】
（実施の形態３）
次に、図８〜図１０を参照して、実施の形態３に係る中継局７００について説明する。
【０１０７】
実施の形態３においても、図１に示す無線中継システムにおいて中継局１００を中継局７００に置き換えた無線中継システムで、基地局２００と直接通信できない端末（たとえば、移動局３００）が、中継局７００を介して通信することができる。
【０１０８】
実施の形態３の無線中継システムでは、実施の形態１と同様、時間分割中継（ＴＤ  ｒｅｌａｙ）を行う。一例として、基地局２００から中継局７００と、中継局７００から移動局３００への２ホップの中継が考えられるが、本実施の形態では、２ホップ以上でも適用可能である。
【０１０９】
本実施の形態に係る中継局７００は、第３の送受信切替タイミング（図８中、送受信切替タイミングＣ）と新たな第５の送受信切替タイミング（図８中、送受信切替タイミングＥ）とを、サブフレーム毎に切り替える。
【０１１０】
次に、図８を参照して、本実施の形態に係る中継局７００において、上述した２つの送受信切替タイミングについて説明する。図８は、中継局７００が送受信を切り替えるタイミングを説明するための図である。
【０１１１】
図８中、ｒＵＥ  ｔｒａｎｓｍｉｓｓｉｏｎは、中継局７００に接続する移動局３００の中継局７００への送信タイミングを、ＲＮ  ｒｅｃｅｐｔｉｏｎは、中継局７００での移動局３００からの受信タイミングを、ＲＮ  ｔｒａｎｓｍｉｓｓｉｏｎは、基地局２００への中継局７００の送信タイミングを、ｅＮＢ  ｒｅｃｅｐｔｉｏｎは、基地局２００での中継局７００からの受信タイミングを示す。
【０１１２】
また、図８中、Δｓｈｉｆｔ  Ｆで示す矢印で挟まれた期間がガードピリオドである。また、図中のＳｗｉｔｃｈｉｎｇ  ｐｅｒｉｏｄは、中継局７００が送信から受信又は、受信から送信の切り替えをするのに要する時間である。
【０１１３】
また、図８中、ＳＣ−ＦＤＭＡシンボル＃０〜＃１３（図中、＃を省略し、数字のみを表記）を示すブロックが傾いているのはシンボルの伝搬遅延を示す。例えば、図８中、時刻Ｔ７に移動局３００から中継局７００へ送信されたシンボルは、時刻Ｔ８に中継局７００で受信される。
【０１１４】
ここで、中継局７００では、ＲＮ  ｒｅｃｅｐｔｉｏｎで示す中継局７００の移動局３００からの受信タイミング（又は中継局７００に接続する移動局３００の中継局７００への送信タイミング）を制御することができる。なお、基地局２００での中継局７００からの受信タイミング（又は基地局２００への中継局７００の送信タイミング）は、基地局２００で設定されている。
【０１１５】
また、基地局２００は、１０ｍｓｅｃ間隔で、中継局７００固有のＳＲＳを設定する。
【０１１６】
まず、第３の送受信切替タイミング（図８中、送受信切替タイミングＣ）として、中継局７００が、バックホールサブフレームＡ５のＳＣ−ＦＤＭＡシンボル＃０〜＃１３を基地局２００に送信する場合（中継局７００がＰＵＣＣＨを送信したい場合を含む）に使用する。中継局７００は自局（中継局）のセルにＳＲＳを設定し、移動局３００と自局との間で通信を行うための、アクセスリンクサブフレームＢ５のＳＣ−ＦＤＭＡシンボル＃１２を、移動局３００から受信した後、基地局２００と自局との間で通信を行うためのバックホールの送信に切替る。そのために、中継局７００において、移動局３００と自局との間で通信を行うためのアクセスリンク（図８中、アクセスリンクサブフレームＢ５、Ｃ５）の、ＵＬ受信開始タイミングを、基地局２００と自局との間で通信を行うためのバックホール（Ｂａｃｋｈａｕｌ）（図８中、バックホールサブフレームＡ５）のＵＬ送信終了タイミングより後方へΔｓｈｉｆｔ  Ｂ分シフトすれば良い。第３の送受信切替タイミングに設定されているサブフレームでは、ＰＵＣＣＨ、ＰＵＳＣＨともに、移動局用に設計されたものをそのまま適用することができる。
【０１１７】
なお、アクセスリンクサブフレーム（図８中、アクセスリンクサブフレームＢ５）ＳＣ−ＦＤＭＡシンボル＃１３について、中継局セルではＳＲＳシンボルに設定するが、中継局７００に接続する移動局３００にはＳＲＳ送信を割り当てないことになる。つまり、アクセスリンクサブフレーム（図８中、アクセスリンクサブフレームＢ５）において、ＳＣ−ＦＤＭＡシンボル＃１３（図８中、網掛けのブロック）は、ＳＲＳを設定しない空きシンボル（Ｆａｋｅ  ＳＲＳ）となる。
【０１１８】
次に、第５の送受信切替タイミング（図８中、送受信切替タイミングＥ）について説明する。第５の送受信切替タイミングが、上述した第３の送受信切替タイミングと異なる点は、バックホールサブフレームからアクセスリンクサブフレームに切替えるタイミング、つまり送信から受信への切替タイミングである。
【０１１９】
第５の送受信切替タイミングでは、中継局７００は、バックホールサブフレームＡ６のＳＣ−ＦＤＭＡシンボル＃１２を送信後、受信に切替え、アクセスリンクサブフレームＣ６において、バックホールサブフレームＡ６と同一サブフレーム番号のＳＣ−ＦＤＭＡシンボル＃１３を受信し、そのまま次のサブフレームのアクセスリンクサブフレームＣ６で、ＳＣ−ＦＤＭＡシンボルを受信する。
【０１２０】
上述のように、本実施の形態に係る中継局７００は、第３の送受信切替タイミング（図８中、送受信切替タイミングＣ）及び、第５の送受信切替タイミング（図８中、送受信切替タイミングＥ）を切替える。そのため、バックホールサブフレームに基地局セル固有のＳＲＳ配置が設定されかつ、中継局固有のＳＲＳ配置が設定されていない場合、中継局７００は、ＳＣ−ＦＤＭＡシンボル＃１３を送信する必要がない。つまり、バックホールサブフレーム（図８中、バックホールサブフレームＡ６）において、ＳＣ−ＦＤＭＡシンボル＃１３は空きシンボル（Ｆａｋｅ  ＳＲＳ）となる。したがって、アクセスリンクサブフレームＣ６のＳＣ−ＦＤＭＡシンボル＃１３を受信することができ、中継局７００は中継局配下の移動局固有のＳＲＳ配置に、アクセスリンクサブフレーム（図中、アクセスリンクサブフレームＣ６）のＳＣ−ＦＤＭＡシンボル＃１３を割り当てることができる。
【０１２１】
上述のように、本実施の形態に係る中継局７００は、バックホールの前のサブフレームでは移動局３００からＳＲＳを受信できないが、バックホールと同一のサブフレームで、移動局３００のＳＲＳを受信することができる。
【０１２２】
また、本実施の形態に係る中継局７００は、上述した第３の送受信切替タイミングでは、基地局２００に、ＳＲＳ及びデータをＳＣ−ＦＤＭＡシンボル＃１３で送信することができる。そのため、本実施の形態に係る中継局７００は、タイミングの切替によって適応的にＳＲＳを送信するサブフレームを設定することができる。
【０１２３】
また、本実施の形態に係る中継局７００は、上述した第３の送受信切替タイミングと第５の送受信切替タイミングとの切替えにおいて、ＳＣ−ＦＤＭＡシンボル＃０が送信できなくなることが起こらず、ＰＵＣＣＨの新しいフォーマットを設定せずに、運用することができる。
【０１２４】
［中継局７００の動作例］
次に、図９ を参照して、中継局７００の送受信切替え動作について説明する。図９は、中継局７００の送受信切替え動作を説明するための図である。図中、横軸は時間［μｓ］を示す。
【０１２５】
図９中、フレーム１において、サブフレーム＃４は、中継局セル固有ＳＲＳ配置かつ、移動局固有ＳＲＳが割り当てられていない。また、サブフレーム＃５は、基地局セル固有ＳＲＳ配置かつ、中継局固有ＳＲＳが割り当てられていない。また、サブフレーム＃６は、中継局７００に接続する移動局固有ＳＲＳが割り当てられている。
【０１２６】
また、図９中、フレーム１において、サブフレーム＃５、＃７（バックホールサブフレーム）が中継局７００から基地局２００への通信を示し、他のサブフレームは、移動局から中継局への通信（アクセスリンクサブフレーム）を示す。各サブフレームでは、ＳＣ−ＦＤＭＡシンボル＃０〜＃１３を含む。ＳＣ−ＦＤＭＡシンボルの各シンボル長は、およそ７１．４［ｍｓ］である。
【０１２７】
また、図９中、ｒＵＥ  ｔｒａｎｓｍｉｓｓｉｏｎは、中継局７００に接続する移動局３００の中継局７００への送信タイミングを、ＲＮ  ｒｅｃｅｐｔｉｏｎは、中継局７００での移動局３００からの受信タイミングを、ＲＮ  ｔｒａｎｓｍｉｓｓｉｏｎは、基地局２００への中継局７００の送信タイミングを、ｅＮＢ  ｒｅｃｅｐｔｉｏｎは、基地局２００での中継局７００からの受信タイミングを示す。
【０１２８】
また、図９中、ＳＣ−ＦＤＭＡシンボル＃０〜＃１３を示すブロックが傾いているのはシンボルの伝搬遅延を示す。
【０１２９】
ここで、中継局７００では、ＲＮ  ｒｅｃｅｐｔｉｏｎで示す中継局７００の移動局３００からの受信タイミング（又は中継局７００に接続する移動局３００の中継局７００への送信タイミング）を制御することができる。なお、基地局２００での中継局７００からの受信タイミング（又は基地局２００への中継局７００の送信タイミング）は、基地局２００で設定されている。
【０１３０】
また、基地局２００は、１０ｍｓｅｃ間隔で、中継局７００固有のＳＲＳを設定する。
【０１３１】
中継局７００は、バックホールサブフレームからアクセスリンクサブフレームに切替える場合、そのバックホールサブフレームにおいて、基地局セル固有ＳＲＳ配置かつ、中継局固有ＳＲＳが割り当てられていない場合、上述した第５の送受信切替タイミング（図８中、送受信切替タイミングＥ）を使用する。つまり、図９中、バックホールサブフレームであるサブフレーム＃５において、基地局セル固有ＳＲＳ配置かつ、中継局固有ＳＲＳが割り当てられていないので、中継局７００は、上述した第５の送受信切替タイミング（図８中、送受信切替タイミングＥ）を使用して、バックホールサブフレームからアクセスリンクサブフレームであるサブフレーム＃６に切替える。
【０１３２】
また、第３の送受信切替タイミング（図９中、送受信切替タイミングＣ）として、中継局７００が、ＳＣ−ＦＤＭＡシンボル＃０〜＃１３を基地局２００に送信する場合（中継局７００がＰＵＣＣＨを送信したい場合を含む）に使用する。中継７００は自局（中継局）のセルにＳＲＳを設定し、移動局３００からＳＣ−ＦＤＭＡシンボル＃１２を受信した後、バックホールの送信に切替える。
【０１３３】
ただし、中継局７００は、中継局配下の移動局固有のＳＲＳがバックホールサブフレームと同一サブフレームに割り当てられていない場合、第５の送受信切替タイミングではなく、第３の送受信切替タイミングを使用しても良い。
【０１３４】
なお、中継局７００は、基地局セル固有ＳＲＳ配置でない場合、又は、基地局セル固有ＳＲＳ配置であるが、中継局固有ＳＲＳが割り当てられている場合、上述した第３の送受信切替タイミングを使用する。
【０１３５】
次に、図１０を参照して中継局７００の構成について説明する。図１０は、中継局７００の構成を示すブロック図である。図１０に示す中継局７００が、図４に示す中継局１００と異なる点は、データ割り当て部７０３と、ＳＲＳ  Ｃｏｎｆｉｇｕｒａｔｉｏｎ設定部７１１と、タイミング切替部７１５である。共通する構成については同一参照符号を付し、その詳細な説明を省略する。
【０１３６】
ＳＲＳ  Ｃｏｎｆｉｇｕｒａｔｉｏｎ設定部７１１は、中継局セル固有のＳＲＳ配置及び、自局（中継局）に接続するそれぞれのＵＥ固有のＳＲＳは位置を決定し、決定した情報を誤り訂正符号化部１０７、タイミング切替部７１５へ出力する。
【０１３７】
ここで、バックホールサブフレームからアクセスリンクサブフレームに切替える場合、そのバックホールサブフレーム（図９中、サブフレーム＃５）において、基地局セル固有ＳＲＳ配置かつ、中継局固有ＳＲＳが割り当てられていない場合、中継局７００は中継局配下の移動局セル固有のＳＲＳをバックホールサブフレームと同一サブフレームに割り当てることができる。
【０１３８】
データ割り当て部７０３は、基地局２００から受信した中継局固有のＳＲＳ配置情報に従い、ＳＲＳを送信するサブフレームではＳＲＳ信号をリソースブロック（ＲＢ）に割り当て、データを送信するサブフレームではデータをリソースブロック（ＲＢ）に割り当て、無線送信部１０１へ出力する。
【０１３９】
タイミング切替部７１５は、基地局２００が決定した中継局固有のＳＲＳ配置及び、中継局が設定した中継局セル固有のＳＲＳ配置に基づき、受信から送信へ切換えるタイミングを変更する。
【０１４０】
つまり、タイミング切替部７１５は、基地局２００からＳＲＳの送信指示があったバックホールサブフレームでは、ＳＣ−ＦＤＭＡシンボル＃１３を送信後に受信に切替える。また、タイミング切替部７１５は、基地局セル固有のＳＲＳ配置に割り当てられているが、中継局固有のＳＲＳが割り当てられていないバックホールサブフレームでは、ＳＣ−ＦＤＭＡシンボル＃１２を送信後、受信に切替える。
【０１４１】
なお、上記各実施の形態において、ＴＤ  ｒｅｌａｙは、ｈａｌｆ  ｄｕｐｌｅｘ  ｒｅｌａｙとも呼ばれる。また、Ｉｎ  ｂａｎｄ  ｒｅｌａｙのうち、送信アンテナと受信アンテナ間に十分な分離（ｉｓｏｌａｔｉｏｎ）がない場合、これらのＲｅｌａｙが使用される。
【０１４２】
なお、上記各実施の形態において、Ｎｏｒｍａｌ  ＣＰのｓｕｂｆｒａｍｅを例に説明したが、Ｅｘｔｅｎｄｅｄ  ＣＰ（１シンボル長が長く、１フレームを１２ＳＣ−ＦＤＭＡシンボルで構成）の場合、ＳＲＳが送信されるＳＣ−ＦＤＭＡシンボルの番号は＃１１（＃０からスタート）となる。アクセスリンク側のみＥｘｔｅｎｄｅｄ  ＣＰの場合、バックホール側のみＥｘｔｅｎｄｅｄ  ＣＰの場合、両者がＥｘｔｅｎｄｅｄ  ＣＰの場合がある。
【０１４３】
なお、上記各実施の形態において、ＵＬバックホールサブフレームが連続して割り当てられている場合、連続するサブフレームの先頭サブフレームとそのサブフレームの１つ前のアクセスリンクのサブフレームのスイッチングに、上記各実施の形態を適用する。
【０１４４】
なお、上記各実施の形態では、送信アンテナ又は受信アンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えば、ＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１４５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４６】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１４７】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１４８】
本発明を詳細にまた特定の実施態様を参照して説明したが、本発明の精神と範囲を逸脱することなく様々な変更や修正を加えることができることは当業者にとって明らかである。
【０１４９】
本出願は、２０１０年２月１２日出願の日本特許出願（特願２０１０−０２９４０８）に基づくものであり、その内容はここに参照として取り込まれる。
【産業上の利用可能性】
【０１５０】
本発明に係る無線中継装置又は無線中継方法は、リソースの利用効率を向上させることができる、という効果を有し、無線中継局装置等として有用である。
【符号の説明】
【０１５１】
１００、４００、４００Ａ、７００  中継局
１０１  無線送信部
１０３、７０３  データ割り当て部
１０５  変調部
１０７  誤り訂正符号化部
１０９  ＳＲＳ信号生成部
１１１、７１１  ＳＲＳ  Ｃｏｎｆｉｇｕｒａｔｉｏｎ設定部
１１３  ＳＲＳ  Ｃｏｎｆｉｇｕｒａｔｉｏｎ受信部
１１５、４１５、４１５Ａ、７１５  タイミング切替部
１１７  誤り訂正復号部
１１９  復調部
１２１  無線受信部
１２３  送信アンテナ
１２５  受信アンテナ
２００  基地局
３００  移動局
４０１  タイミング切替指示生成部
４０３  タイミング切替指示受信部
【図１】
0005595425.tif 000002
【図２】
0005595425.tif 000003
【図３】
0005595425.tif 000004
【図４】
0005595425.tif 000005
【図５】
0005595425.tif 000006
【図６】
0005595425.tif 000007
【図７】
0005595425.tif 000008
【図８】
0005595425.tif 000009
【図９】
0005595425.tif 000010
【図１０】
0005595425.tif 000011
【図１１】
0005595425.tif 000012
【図１２】
0005595425.tif 000013
【図１３】
0005595425.tif 000014
【図１４】
0005595425.tif 000015
【図１５】
0005595425.tif 000016
【図１６】
0005595425.tif 000017
【図１７】
0005595425.tif 000018